(57)【特許請求の範囲】
【請求項１】
平板状の成型ダンボールを折り曲げることによって互いに対向する二壁面が形成されるスペーサであって、
一方の壁面の一部分を切り起こすことによって該一方の壁面に対向する他方の壁面に跨るように形成されたブリッジ手段と、前記ブリッジ手段の先端部分を係止することによって前記他方の壁面に交差する方向且つ前記一方の壁面に近接する方向への前記ブリッジ手段の動きを拘束するように前記他方の壁面に形成された係止手段と、前記ブリッジ手段の先端部分を押え付けることによって前記他方の壁面の延長方向への動きを拘束するように前記他方の壁面に折れ線を介して隣接する隣接壁面を、該折れ線を利用して折り曲げることにより形成される押圧手段と、を備えていることを特徴とするスペーサ。
【請求項２】
平板状の成型ダンボールを複数回折り曲げることによって立体形状とされるスペーサであって、
対向する一方の壁面の一部の切り起こしにより対向する他方の壁面に跨るように形成されたブリッジ片と、前記他方の壁面と該他方の壁面に隣接する隣接壁面とに跨って形成されて前記ブリッジ片の先端部分と係合する開口と、を備え、
前記ブリッジ片の前記先端部分には、段差部を介して幅広な頭部と幅狭な胴部とが形成され、
前記開口は、幅広な上段開口と幅狭な下段開口とで正面視略下向きの凸字形状に形成されると共に、前記上段開口と前記下段開口との境界付近に前記他方の壁面と前記隣接壁面との境界となる折れ線が形成され、
前記頭部を前記上段開口から挿入した後に前記胴部を前記下段開口に位置させたうえで前記折れ線を利用して折り曲げることによって前記隣接壁面で前記頭部が押え付けられていることを特徴とするスペーサ。
【発明の詳細な説明】
【技術分野】
【０００１】
本発明は、ダンボール等の外箱内に商品等の被収納物を収納する際、外箱内の収納空間と被収納物との隙間を埋めて外箱の変形防止並びに被収納物への衝撃吸収を図るスペーサに関する。
【背景技術】
【０００２】
従来から、ダンボール等の外箱内に商品等の被収納物を収納する際、外箱内の収納空間と被収納物との隙間を埋めて外箱の変形防止並びに被収納物への衝撃吸収を図るスペーサが知られている。
【０００３】
また、この種のスペーサには、被収納物を収納空間内で保持するホルダー機能を備えたスペーサと、単に隙間を埋めるためのスペーサとに機能的に別れ、主として、梱包状態で天地を規定した場合、被収納物の側方（例えば、被収納物の左右又は前後）二箇所はホルダー機能を備えたスペーサを用い、被収納物の天地（特に、天面側）は、単に隙間を埋めるためのスペーサを用いている場合が多い。
【０００４】
被収納物の天面側に配置される隙間を埋めるためのスペーサは、例えば、古新聞紙等の丸めたもの、或いは、専用のプラスチックチップやエアキャップ等を適宜箇所に散乱状態で設けたものが周知であるが、被収納物を一般家庭等のユーザに搬送した後には再利用（回収）が困難で、廃棄処分とされ、資源の無駄となることから、近年では、ダンボールシートを複数に折り曲げて立体的に組み立てたスペーサを用いることが多い（例えば、特許文献１参照）。
【０００５】
また、１枚のダンボールシートを複数に折り曲げて立体形状とした際には、例えば、その厚みに相当する部分の保形性を確保するため、例えば、切り起こし等によってブリッジ片を設けると共に、そのブリッジ片の先端突起を係合溝等に係合させている。
【特許文献１】特開平１１−２４５９３４号公報
【発明の開示】
【発明が解決しようとする課題】
【０００６】
ところが、上記の如く構成されたスペーサにあっては、ブリッジ片の先端突起を係合溝等に係合させているだけなので、外部からの振動や衝撃等により係合状態が解除され、スペーサ機能が低下してしまう虞があった。
【０００７】
そこで、本発明は、上記事情を考慮し、組み立て状態を維持するためのブリッジ片の係合状態を強固にすることができるスペーサを提供することを目的とする。
【課題を解決するための手段】
【０００８】
本発明のスペーサは、平板状の成型ダンボールを折り曲げることによって互いに対向する二壁面が形成されるスペーサであって、一方の壁面の一部分を切り起こすことによって該一方の壁面に対向する他方の壁面に跨るように形成されたブリッジ手段と、前記ブリッジ手段の先端部分を係止することによって前記他方の壁面に交差する方向且つ前記一方の壁面に近接する方向への前記ブリッジ手段の動きを拘束するように前記他方の壁面に形成された係止手段と、前記ブリッジ手段の先端部分を押え付けることによって前記他方の壁面の延長方向への動きを拘束するように前記他方の壁面に隣接する隣接壁面に形成された押圧手段と、を備えていることを特徴とする
また、本発明のスペーサは、平板状の成型ダンボールを複数回折り曲げることによって立体形状とされるスペーサであって、対向する一方の壁面の一部の切り起こしにより対向する他方の壁面に跨るように形成されたブリッジ片と、前記他方の壁面と該他方の壁面に隣接する隣接壁面とに跨って形成されて前記ブリッジ片の先端部分と係合する開口と、を備え、前記ブリッジ片の前記先端部分には、段差部を介して幅広な頭部と幅狭な胴部とが形成され、前記開口は、幅広な上段開口と幅狭な下段開口とで正面視略下向きの凸字形状に形成されると共に、前記上段開口と前記下段開口との境界付近に前記他方の壁面と前記隣接壁面との境界となる折れ線が形成され、前記頭部を前記上段開口から挿入した後に前記胴部を前記下段開口に位置させたうえで前記折れ線を利用して折り曲げることによって前記隣接壁面で前記頭部が押え付けられていることを特徴とする。
【発明の効果】
【０００９】
本発明のスペーサは、組み立て状態を維持するためのブリッジ片の係合状態を強固にすることができる。
【発明を実施するための最良の形態】
【００１０】
次に、本発明の一実施形態に係るスペーサについて、図面を参照して説明する。
【００１１】
図１は本発明の一実施形態に係るスペーサを利用した被収納物収納状態の梱包物の外観斜視図、図２は本発明の一実施形態に係るスペーサの展開状態の平面図、図３は本発明の一実施形態に係るスペーサの組み立て状態の平面図、図４は本発明の一実施形態に係るスペーサの断面図、図５は本発明の一実施形態に係るスペーサの他の方向の断面図、図６は本発明の一実施形態に係るスペーサの要部の斜視図、図７は本発明の一実施形態に係るスペーサの組み立て時の時系列の説明図である。
【００１２】
図１において、１はダンボール箱等の外箱、２は外箱１に収納される被収納物、３，４は被収納物２の両側と係合して外箱１の内部で被収納物２を浮遊状態で保持するホルダー機能を備えたスペーサ、５は被収納物２の天面側に位置するスペーサである。
【００１３】
尚、スペーサ３，４は、古紙等を利用して所定の立体形状にプレス加工した周知のものが使用されている。
【００１４】
スペーサ５は、図２に示すように、１枚の平板状のものを所定回数折り曲げることによって、図３に示すように、立体形状に組みつけられるもので、本実施の形態では、互いに平行な複数の折れ線Ｐ１〜Ｐ７のみで立体化される。尚、図２に示した各折れ線Ｐ１〜Ｐ７のうち、図示一点鎖線で示す折れ線Ｐ１，Ｐ３．Ｐ６，Ｐ７は山折、二点鎖線で示す折れ線Ｐ２，Ｐ４，Ｐ５は谷折を示す。また、スペーサ５は、本実施の形態では、被収納物２の一部が位置する内部空間６を形成するように、その内部空間６の上方側の上壁面７，８、内部空間６の対向する縦壁面となる壁面９，１０、内部空間６の下方側の底壁面１１とを備えている。
【００１５】
一方の上壁面７は、図４，５に示すように、組み立て時には折れ線Ｐ１，Ｐ２で折り返す３つ折によって３重とされ、その底面側の縁部には切り起こしによって立ち上げられる係合舌片７ａと、この係合舌片７ａが係合する凹部７ｂとが形成されている。また、上壁面７には、切り起こしによって組み立て時に内部空間６の上方にオーバハングする庇部７ｃが形成されている。尚、この庇部７ｃは、例えば、被収納物２に上向きの突起等が存在していた場合に、その突起と外箱１の裏面との間に介装され、外箱１の裏面に突起による傷付きや付き抜けを防止するもので、そのオーバハング量や位置等は任意である。
【００１６】
組み立て時に互いに対向する縦壁面となる一方の壁面９には、底壁面１１とに跨って切り起こしによって形成されたブリッジ片１２が形成されている。
【００１７】
このブリッジ片１２は、段差部１２ａを介して幅広な頭部１２ｂと、幅狭な胴部１２ｃとを備え、組み立て時には内部空間６の上方で胴部１２ｃのみで二壁面９，１０間に跨る長さに設定されている。
【００１８】
組み立て時に互いに対向する縦壁面となる一方の壁面１０と隣接する上壁面８とに跨る範囲には、ブリッジ片１２の先端部分と係合する開口１３が形成されている。
【００１９】
開口１３は、図６に示すように、幅広な上段開口１３ａと幅狭な下段開口１３ｂとで正面視略下向きの凸字形状に形成されている。また、上段開口１３ａと下段開口１３ｂとの境界付近には、壁面１０と上壁面８との境界となる折れ線Ｐ６が位置している。さらに、開口１３の内側には、上段開口１３ａと幅狭な下段開口１３ｂとの幅差分の幅を有する切り起こし状の係合舌片１４が設けられている。
【００２０】
係合舌片１４は、組み立て状態において壁面１０と面一状に立ち上がっており、段差部１２ａが係合する。
【００２１】
上記の構成において、頭部１２ｂから胴部１２ｃの段差部１２ａ付近のブリッジ片１２の先端部分は、図７に示すように、頭部１２ｂを上段開口１３ａに挿入し、段差部１２ａが上段開口１３ａを貫通した状態で胴部１２ｃを下段開口１３ｂに位置させ、段差部１２ａを係合舌片１４に係合させる。
【００２２】
この状態から、折れ線Ｐ６を利用して上壁面８を折り曲げ形成することによって、その上壁面８に頭部１２ｂが押さえつけられ、ブリッジ片１２の浮き（上壁面８の延長方向への動き）を防止し得て、開口１３からブリッジ片１２が不測に抜けてしまうことが抑制されている。
【００２３】
このように、本発明のスペーサ５によれば、梱包作業時や輸送時に振動等の環境変化が発生したとしても、被収納物２の保持機能を内部空間６で果たしつつ、組み立て状態の不測な解除を抑制することができる。
【図面の簡単な説明】
【００２４】
【図１】本発明の一実施形態に係るスペーサを利用した被収納物収納状態の梱包物の外観斜視図である。
【図２】本発明の一実施形態に係るスペーサの展開状態の平面図である。
【図３】本発明の一実施形態に係るスペーサの組み立て状態の平面図である。
【図４】本発明の一実施形態に係るスペーサの断面図である。
【図５】本発明の一実施形態に係るスペーサの他の方向の断面図である。
【図６】本発明の一実施形態に係るスペーサの要部の斜視図である。
【図７】本発明の一実施形態に係るスペーサの組み立て時の時系列の説明図である。
【符号の説明】
【００２５】
５…スペーサ
６…内部空間
７…上壁面
８…上壁面（隣接壁面）
９…壁面（一方の壁面）
１０…壁面（他方の壁面）
１１…底壁面
１２…ブリッジ片
１２ａ…段差部
１２ｂ…頭部
１２ｃ…胴部
１３…開口
１３ａ…上段開口
１３ｂ…下段開口
【図１】
0004999169.tif 000002
【図２】
0004999169.tif 000003
【図３】
0004999169.tif 000004
【図４】
0004999169.tif 000005
【図５】
0004999169.tif 000006
【図６】
0004999169.tif 000007
【図７】
0004999169.tif 000008